(57)【特許請求の範囲】
【請求項１】
少なくとも１つの光ファイバ（ＦＢ１、…、ＦＢ６）と取付けデバイス（ＥＦ）とを備えるアセンブリ（ＡＳ）であって、前記少なくとも１つのファイバが前記取付けデバイス（ＥＦ）から突出し、前記取付けデバイス（ＥＦ）が、前記少なくとも１つの光ファイバ（ＦＢ１、…、ＦＢ６）を挿入するためのチューブ（ＴＵＢ）を終端するように適合され、
前記取付けデバイス（ＥＦ）の内部にあり、前記取付けデバイス（ＥＦ）の第１の前側から前記取付けデバイス（ＥＦ）の第２の前側に向けられた長手軸に垂直である中空空間の断面が、充填材料（ＦＭ）で満たされ、
前記充填材料（ＦＭ）が、前記少なくとも１つの光ファイバ（ＦＢ１、…、ＦＢ６）のためのスプライス接続部を囲い込み、
前記充填材料（ＦＭ）は、二液性接着剤、エポキシ、シリコン、または加硫ゴムである、アセンブリ（ＡＳ）。
【請求項２】
前記少なくとも１つの光ファイバ（ＦＢ１、…、ＦＢ６）が、屋外ピグテイル（ＰＩＧＴ１、…、ＰＩＧＴ３）によって前記スプライス接続部から延長される、請求項１に記載のアセンブリ（ＡＳ）。
【請求項３】
前記充填材料（ＦＭ）が、前記少なくとも１つの光ファイバ（ＦＢ１、…、ＦＢ６）を前記少なくとも１つの光ファイバ（ＦＢ１、…、ＦＢ６）の既定の長手方向の長さにわたって囲い込み、前記既定の長さが、前記充填材料（ＦＭ）の軟度および／または剛性に、かつ／または前記少なくとも１つの光ファイバ（ＦＢ１、…、ＦＢ６）に影響を与える機械的な力に適合している、請求項１または２に記載のアセンブリ（ＡＳ）。
【請求項４】
前記既定の長さが１ｃｍと１０ｃｍとの間の範囲にある、請求項３に記載のアセンブリ（ＡＳ）。
【請求項５】
前記チューブ（ＴＵＢ）をさらに備え、前記取付けデバイス（ＥＦ）が前記チューブ（ＴＵＢ）の端面に取り付けられ、前記少なくとも１つのファイバが、前記チューブ（ＴＵＢ）の前記端面から反対側の端面まで前記チューブ（ＴＵＢ）を貫通する、請求項１乃至４のいずれか１項に記載のアセンブリ（ＡＳ）。
【請求項６】
少なくとも１つの光ファイバ（ＦＢ１、…、ＦＢ６）と取付けデバイス（ＥＦ）とを備えるアセンブリ（ＡＳ）であって、前記少なくとも１つのファイバが前記取付けデバイス（ＥＦ）から突出し、前記取付けデバイス（ＥＦ）が、前記少なくとも１つの光ファイバ（ＦＢ１、…、ＦＢ６）を挿入するためのチューブ（ＴＵＢ）を終端するように適合され、
前記取付けデバイス（ＥＦ）の内部にあり、前記取付けデバイス（ＥＦ）の第１の前側から前記取付けデバイス（ＥＦ）の第２の前側に向けられた長手軸に垂直である中空空間の断面が、充填材料（ＦＭ）で満たされ、
前記充填材料（ＦＭ）が、前記少なくとも１つの光ファイバ（ＦＢ１、…、ＦＢ６）のためのスプライス接続部を囲い込み、
前記チューブ（ＴＵＢ）をさらに備え、前記取付けデバイス（ＥＦ）が前記チューブ（ＴＵＢ）の端面に取り付けられ、前記少なくとも１つのファイバが、前記チューブ（ＴＵＢ）の前記端面から反対側の端面まで前記チューブ（ＴＵＢ）を貫通し、
前記取付けデバイス（ＥＦ）が、前記充填材料（ＦＭ）で完全にまたは部分的に満たされる第１の円筒部分（ＲＥＴ）と、前記第１の円筒部分（ＲＥＴ）に取り付けられ、前記チューブ（ＴＵＢ）の前記端面に取り付けられる第２の部分（ＦＵ）とを含む、アセンブリ（ＡＳ）。
【請求項７】
前記第２の部分（ＦＵ）がケーブル・グランドである、請求項６に記載のアセンブリ（ＡＳ）。
【請求項８】
前記チューブ（ＴＵＢ）が内側中空導体（ＩＣ）を備える同軸ケーブルであり、前記内側中空導体（ＩＣ）が前記少なくとも１つの光ファイバ（ＦＢ１、…、ＦＢ６）を含むように適合されている、請求項１乃至７のいずれか１項に記載のアセンブリ（ＡＳ）。
【請求項９】
請求項５、６、７、または８に記載の前記アセンブリ（ＡＳ）を含む基地局（ＢＳ）。
【請求項１０】
アセンブリ（ＡＳ）を取り付ける方法（ＭＥＴ）であって、
前記アセンブリ（ＡＳ）の取付けデバイス（ＥＦ）から突出する前記アセンブリ（ＡＳ）の少なくとも１つの光ファイバ（ＦＢ１、…、ＦＢ６）をチューブ（ＴＵＢ）に挿入するステップ（Ｍ４）と、
前記チューブ（ＴＵＢ）の端面を前記取付けデバイス（ＥＦ）で終端するステップ（Ｍ６）とを含み、
前記取付けデバイス（ＥＦ）の内部にあり、前記取付けデバイス（ＥＦ）の第１の前側から前記取付けデバイス（ＥＦ）の第２の前側に向けられた長手軸に垂直である中空空間の断面が、充填材料（ＦＭ）で満たされ、
前記充填材料（ＦＭ）が、前記少なくとも１つの光ファイバ（ＦＢ１、…、ＦＢ６）のためのスプライス接続部を囲い込み、
前記充填材料（ＦＭ）は、二液性接着剤、エポキシ、シリコン、または加硫ゴムである、方法（ＭＥＴ）。
【発明の詳細な説明】
【技術分野】
【０００１】
本発明は、少なくとも１つの光ファイバと取付けデバイスとを備えるアセンブリ、およびアセンブリを取り付ける方法に関する。
【背景技術】
【０００２】
ＧＳＭ（ＧＳＭ＝Ｇｌｏｂａｌ  Ｓｙｓｔｅｍ  ｆｏｒ  Ｍｏｂｉｌｅ  Ｃｏｍｍｕｎｉｃａｔｉｏｎ、モバイル通信用グローバル・システム）などの従来のセルラ移動通信システムでは、基地局とオンサイト・アンテナとの間の接続は、通常、銅線である。基地局は、例えば、約９００ＭＨｚの割当て周波数帯を使用して、ダウンリンク・データをダウンリンク高周波信号に変調し、基地局の電力増幅器はダウンリンク高周波信号を増幅する。増幅されたダウンリンク高周波信号は、通常、同軸ケーブルを介してオンサイト・アンテナに伝送され、オンサイト・アンテナは増幅されたダウンリンク高周波信号を放射して基地局の無線セルを形成する。無線セルは、例えば、無線セクタごとに１２０度の円弧有効範囲を有する３つの無線セクタ、または無線セクタごとに６０度の円弧有効範囲を有する６つの無線セクタに分割される。各無線セクタは別個のアンテナによってサービス提供される。従来、基地局とアンテナとの間の通信リンクは、アップリンク通信リンクとダウンリンク通信リンクとに分離されている。これは、通常、基地局の基地局ラックと基地局のアンテナとの間に６個または１２個の同軸ケーブルが設置されることを意味する。
【０００３】
将来の無線通信システムでは、エネルギー使用量を低減して、ＯＰＥＸ（ＯＰＥＸ＝ｏｐｅｒａｔｉｎｇ  ｃｏｓｔｓ、運転費用）を低減し、地球温暖化問題の抑制のために貢献すべきである。
【０００４】
３０ｍの長さを有する典型的な７／８インチ同軸ケーブルでは、伝送信号電力の約３５パーセントが吸収および／または散乱によって失われ、基地局の無線セルにサービス提供するのに使用することができない。同軸ケーブルと比較して、光ファイバの減衰は１ｄＢ／ｋｍ未満である。したがって、新しい基地局およびますます多くの既存の基地局で、ＦＴＴＡ概念（ＦＴＴＡ＝ｆｉｂｒｅ  ｔｏ  ｔｈｅ  ａｎｔｅｎｎａ、ファイバ・トゥ・ザ・アンテナ）に従って、基地局とアンテナとの間のデータ伝送に同軸ケーブルの代わりに光ファイバが使用されている。この概念に基づいて、電力増幅器はアンテナの近くの無線遠隔ヘッドに配置される。それによって、電力増幅器はいかなるケーブル損失も補償する必要がない。さらに、光ファイバの低損失により、無線遠隔ヘッドおよびアンテナを基地局から遠く離して設置することができ、かつ／または全体的出力電力のより小さい電力増幅器を使用することができる。
【０００５】
ＨＳＰＡ（ＨＳＰＡ、Ｈｉｇｈ  Ｓｐｅｅｄ  Ｐａｃｋｅｔ  Ａｃｃｅｓｓ、高速パケット・アクセス）またはＬＴＥ（ＬＴＥ＝Ｌｏｎｇ  Ｔｅｒｍ  Ｅｖｏｌｕｔｉｏｎ、長期的進化）などの将来の無線通信システムでのデータ・レートは、基地局と移動局との間でＭＩＭＯ伝送（ＭＩＭＯ＝ｍｕｌｔｉｐｌｅ  ｉｎｐｕｔ  ｍｕｌｔｉｐｌｅ  ｏｕｔｐｕｔ、多入力・多出力）を使用することによって増加するであろう。これは、基地局とＭＩＭＯアンテナ・システムの場所との間に追加または新しい接続を設置することを必要とする。
【発明の概要】
【発明が解決しようとする課題】
【０００６】
既存の基地局をＦＴＴＡにアップグレードする場合、基地局ラックとアンテナとの間の同軸ケーブルは取り外されることがあり、基地局ラックと無線遠隔ヘッドとの間を接続すべきデータ・ダウンリンクおよびデータ・アップリンク用の光ファイバを含む光ファイバ・ケーブル、ならびに無線遠隔ヘッドの電源用の電気ケーブルと取り替えられることがある。
【０００７】
既存の基地局をアップグレードする方法は設置コストおよび設置労力に影響を与える。
【０００８】
したがって、本発明の目的は、設置コストおよび設置労力を低減することである。
【課題を解決するための手段】
【０００９】
この目的は、１つまたはいくつかの光ファイバと取付けデバイスとを備えるアセンブリによって達成される。１つまたはいくつかの光ファイバは取付けデバイスから突出し、その結果、１つまたはいくつかの光ファイバはチューブに挿入することができる。取付けデバイスはチューブを終端するように適合され、好ましくは、チューブの端面を完全に密閉する。
【００１０】
この目的は、さらに、アセンブリを取り付ける方法によって達成され、この方法は、アセンブリの取付けデバイスから突出するアセンブリの１つまたはいくつかの光ファイバをチューブに挿入するステップと、チューブの端面を取付けデバイスで終端するステップとを含む。
【００１１】
取付けデバイスは、例えば、１つまたはいくつかの光ファイバのための保持固定具と、チューブを終端するためのクランプ固定具とを備えるスリーブ、アダプタ、またはコネクタとすることができ、あるいは１つまたはいくつかの光ファイバのための別個の保持部と、保持部をチューブの端面に取り付けるためのケーブル・グランドとを含むことができる。
【００１２】
１つまたはいくつかの光ファイバは、単一モードファイバまたは多モードファイバとすることができる。チューブは、例えば、内側中空円筒を備える同軸ケーブルとすることができ、内側中空円筒は、１つまたはいくつかの光ファイバを含むように適合され得る。
【発明の効果】
【００１３】
本発明は、１つまたはいくつかの光ファイバを挿入するために、設置済み同軸ケーブルの１つまたはいくつかを再使用するという既設の基地局に関する第１の利点を有する。光ファイバは屋外使用のための特別なケーブル外被を必要としないので、設置コストを低減することができる。設置済み同軸ケーブルは、１つまたはいくつかの光ファイバのためのケーブル外被として働くことになる。
【００１４】
本発明は、調整済み設置キットを準備するという第２の利点を有する。据付者は、無線遠隔ヘッドの場所に到着し、アンテナに以前に取り付けられた同軸ケーブルの既存の同軸コネクタを切断し、１つまたはいくつかの光ファイバを同軸ケーブルを経由して基地局の場所の方に通す。アンテナ支柱の設置済み同軸ケーブルを取り外し、アンテナ支柱に新しい光ファイバ・ケーブル・システムを設置する必要はない。それによって、設置はより容易に行うことができ（アンテナ支柱に沿った据付け工事がない）、据付け時間はかなり短縮される。
【００１５】
本発明は、チューブを取付けデバイスで終端することによってチューブの端面を完全に密閉するという第３の利点を提供する。それによって、１つまたはいくつかの光ファイバは湿度などの環境影響から保護される。
【００１６】
本発明は、チューブから、露出された光ファイバへの機械的に安定した移行を行い、光ファイバへのいかなる機械的応力も回避するという第４の利点を提供する。
【００１７】
本発明のさらなる有利な特徴は、本発明の以下の詳細な説明に明示および記載される。
【００１８】
本発明の実施形態は以下の詳細な説明で明らかになり、非限定の例示により与えられる添付図によって示される。
【図面の簡単な説明】
【００１９】
【図１】本発明の一実施形態によるアセンブリのブロック図を断面図で概略的に示す図である。
【図２】本発明の実施形態によるアセンブリを取り付ける方法の流れ図を概略的に示す図である。
【図３】本発明の適用による基地局のブロック図を概略的に示す図である。
【発明を実施するための形態】
【００２０】
図１は、本発明の代表的な実施形態によるアセンブリＡＳのブロック図を断面図で概略的に示す。アセンブリＡＳは、取付けデバイスＥＦと、例えば、取付けデバイスＥＦから突出する第１の光ファイバＦＢ１、第２の光ファイバＦＢ２、第３の光ファイバＦＢ３、第４の光ファイバＦＢ４、第５の光ファイバＦＢ５、および第６の光ファイバＦＢ６とを含む。さらなる代替では、アセンブリＡＳは、取付けデバイスＥＦから突出する６つ未満または６つを超える光ファイバを含む。光ファイバＦＢ１からＦＢ６は単一モードファイバまたは多モードファイバとすることができる。
【００２１】
好ましくは、光ファイバＦＢ１からＦＢ６は、光ファイバＦＢ１からＦＢ６を挿入することができるチューブＴＵＢの長さに適合しているイマージョン長（ｅｍｅｒｓｉｏｎ  ｌｅｎｇｔｈ）で、取付けデバイスの第１の前側から突出する。より好ましくは、イマージョン長はチューブＴＵＢの長さよりも長い。取付けデバイスＥＦは、例えば、取付けデバイスＥＦを無線遠隔ヘッドなどのユニットに接続するためのスリーブ、アダプタ、またはコネクタとすることができる。
【００２２】
チューブＴＵＢ用の嵌合端部としての取付けデバイスＥＦは、好ましくは、光ファイバＦＢ１からＦＢ６を包含するための別個の保持部ＲＥＴと、保持部ＲＥＴをチューブＴＵＢの端面に取り付けるための固定ユニットＦＵとを含むことができる。固定ユニットＦＵは、例えば、ケーブル・グランドとすることができる。ケーブル・グランドは、例えば、ポリアミド６の袋ナットＣＮと、ネオプレンのシーリングＳＥＡＬとを含むことができる。袋ナットＣＮは、保持部ＲＥＴの外側ねじ山ＯＳＴにねじ込むことができる内部ねじ山ＩＳＴを含む。シーリングＳＥＡＬは袋ナットＣＮの内部にあり、例えば、チューブＴＵＢの外径よりもわずかに小さい内径を有するリングである。
【００２３】
代替として、固定ユニットＦＵは、チューブの外径よりもわずかに小さい内径を有し、チューブＴＵＢの外側表面の方に向けられた内側表面に返し（ｂａｒｂ）を備えた、チューブＴＵＢの端面上にシフトすることができるロッキング・リングであっても、または熱収縮チューブであってもよい。
【００２４】
さらなる代替では、取付けデバイスＥＦは、光ファイバＦＢ１からＦＢ６のための保持部機能と、取付けデバイスＥＦをチューブＴＵＢに固定するための固定機能とを有する単一加工品とすることができる。
【００２５】
保持部ＲＥＴは、好ましくは、光ファイバＦＢ１からＦＢ６を固定するための第１の内径を有する第１の中空円筒と、ケーブル・グランドのための対応物を設けるための第１の内径よりも大きい第２の内径を有する第２の中空円筒とに分割することができる。第２の中空円筒の第２の内径および外径は、内部ねじ山ＩＳＴの直径およびシーリングＳＥＡＬの外径などの固定ユニットＦＵの寸法に適合することができる。保持部ＲＥＴの材料は、例えば、アルミニウム、ステンレス鋼、ポリアミド６、ポリエチレン（ＰＥ＝ｐｏｌｙｅｔｈｙｌｅｎｅ）、またはポリ塩化ビニル（ＰＶＣ＝ｐｏｌｙｖｉｎｙｌ  ｃｈｌｏｒｉｄｅ）とすることができる。光ファイバＦＢ１からＦＢ６は、好ましくは、第１の中空円筒の長手軸に沿って中心に配置される。第１の代替では、光ファイバＦＢ１からＦＢ６は、保持部ＲＥＴの第１の端面から保持部ＲＥＴの第２の端面までの範囲にわたっており、保持部ＲＥＴの第１および第２の端面から突出する。
【００２６】
図１に示される第２の代替では、光ファイバＦＢ１からＦＢ６は、保持部ＲＥＴの内部でスプライス接続部によって位置ＰＯＳで終端される。好ましくは、位置ＰＯＳは、第１の中空円筒の長さの中間部１／３以内にある。
【００２７】
光ファイバＦＢ１からＦＢ６は、スプライス接続部から、例えば、第１の屋外ピグテイルＰＩＧＴ１により、第２の屋外ピグテイルＰＩＧＴ２により、および第３の屋外ピグテイルＰＩＧＴ３により延びる。屋外ピグテイルＰＩＧＴ１からＰＩＧＴ３は、屋外の環境条件下での使用に適合されている。
【００２８】
第１の屋外ピグテイルＰＩＧＴ１は、第１の光ファイバＦＢ１にスプライス接続される第７の光ファイバＦＢ１＿２を含むことができ、第２の光ファイバＦＢ２にスプライス接続される第８の光ファイバＦＢ２＿２を含むことができる。第２の屋外ピグテイルＰＩＧＴ２は、第３の光ファイバＦＢ３にスプライス接続される第９の光ファイバＦＢ３＿２を含むことができ、第４の光ファイバＦＢ４にスプライス接続される第１０の光ファイバＦＢ４＿２を含むことができる。第３の屋外ピグテイルＰＩＧＴ３は、第５の光ファイバＦＢ５にスプライス接続される第１１の光ファイバＦＢ５＿２を含むことができ、第６の光ファイバＦＢ６にスプライス接続される第１２の光ファイバＦＢ６＿２を含むことができる。屋外ピグテイルＰＩＧＴ１からＰＩＧＴ３は、どの場合にも光ファイバＦＢ１＿２からＦＢ６＿２のうちの２つを囲い込む保護チューブを含むことができる。さらなる代替では、屋外ピグテイルは１つの光ファイバまたは２つを超える光ファイバを含む。
【００２９】
さらなる代替では、アセンブリＡＳを屋内用途に応じて利用することができる場合、またはチューブＴＵＢを備える屋外の場所から屋内ピグテイルを備える屋内の場所に移行する所にアセンブリＡＳを配置する場合、屋外ピグテイルＰＩＧＴ１からＰＩＧＴ３の代わりに屋内ピグテイルを使用することができる。
【００３０】
光ファイバＦＢ１からＦＢ６は、例えば、充填材料ＦＭによって保持部ＲＥＴ内に固定される。好ましくは、固定ユニットＦＵの第１の前側から固定ユニットＦＵの第２の前側に向けられた長手軸に垂直である第１の中空円筒の断面は、充填材料ＦＭで満たされる。それによって、充填材料ＦＭはスプライス接続部を囲い込むことができ、さらに、チューブＴＵＢの端面に対する密閉機能を有することができる。
【００３１】
より好ましくは、充填材料ＦＭは第１の中空円筒の全部の中空空間を満たす。
【００３２】
充填材料ＦＭは、例えば二液性接着剤、エポキシ、シリコン、加硫ゴム、またはポリウレタン（ＰＵ＝ポリウレタン）とすることができる。第１の中空円筒の第１の内径は、光ファイバＦＢ１からＦＢ６のいくつかに適合され得る。さらに、第１の中空円筒の第１の内径は、溶融状態または液体状態の充填材料ＦＭの流動に適合することができる。
【００３３】
充填材料ＦＭは、好ましくは、第１の中空円筒の全長にわたって光ファイバＦＢ１からＦＢ６を囲い込む。第１の中空円筒の全長は、充填材料ＦＭの軟度または剛性に、および／または光ファイバＦＢ１からＦＢ６の運用中に光ファイバＦＢ１からＦＢ６に影響を与える機械的な力に適合することができる。充填材料ＦＭは、好ましくは、光ファイバＦＢ１からＦＢ６の長さにわたって、１ｃｍと１０ｃｍとの間の範囲で光ファイバＦＢ１からＦＢ６を囲い込む。
【００３４】
好ましくは、第１の内側中空円筒内の光ファイバＦＢ１からＦＢ６の末端部間の距離は、取付けデバイスＥＦから突出する光ファイバＦＢ１からＦＢ６間の距離よりも大きい。これにより、充填材料ＦＭは光ファイバＦＢ１からＦＢ６の末端部間に達し、光ファイバＦＢ１からＦＢ６の末端部の各々を別々に囲い込むことができる。それによって、光ファイバＦＢ１からＦＢ６の固定化を改善することができる。
【００３５】
保持部ＲＥＴの第２の中空円筒は、好ましくは、充填材料ＦＭで満たされず、代わりに、環境ガスＥＧ、例えば、空気によって満たされる。
【００３６】
アセンブリＡＳはチューブＴＵＢをさらに含むことができる（図１を参照）。取付けデバイスＥＦはチューブＴＵＢの端面に取り付けられ、ファイバＦＢ１からＦＢ６はチューブＴＵＢの端面からチューブＴＵＢの反対側の端面までチューブＴＵＢを貫通する。
【００３７】
チューブＴＵＢの末端部の外側周囲は、好ましくは、固定ユニットＦＵのシーリングＳＥＡＬによって囲い込まれる。
【００３８】
チューブＴＵＢは、例えば、プラスチック、シリコン、またはゴム材料から製作された可撓性ジャケットを有する中空円筒とすることができる。好ましくは、チューブＴＵＢは、内側中空導体ＩＣ、外側中空導体ＯＣ、内側中空導体ＩＣと外側中空導体ＯＣとの間の分離材料ＩＳＯ、およびケーブル外被ＣＪを有する同軸ケーブルとすることができる。外側中空導体ＯＣは、例えば、図１に示されるような波状外側導体とすることができる。
【００３９】
内側中空導体ＩＣの内径は光ファイバＦＢ１からＦＢ６を含むように適合され、光ファイバＦＢ１からＦＢ６の密にグループ化された配列の全体外径よりも大きい。代替では、チューブＴＵＢは、光ファイバＦＢ１からＦＢ６を包含するための１つの中空導体を有するケーブルとすることができる。
【００４０】
図２を参照すると、図１に示したようなアセンブリＡＳを図１に示したチューブＴＵＢに取り付ける方法ＭＥＴの流れ図が示される。
【００４１】
方法ＭＥＴを行うための順序およびステップの数は重大ではなく、当業者なら理解できるように、順序およびステップの数は本発明の範囲から逸脱することなく変更することができる。
【００４２】
方法ＭＥＴは、無線通信システムの既存の基地局をアップグレードすることへの本発明の適用に関して代表的に説明される。当業者は、方法ＭＥＴを本発明の他の適用に容易に適合させることができる。
【００４３】
第１のステップＭ１において、移動無線取扱業者または移動無線オペレータの据付者は、アンテナ支柱の上部部分、またはアンテナ・システムを装備した建物の屋根に、光ファイバＦＢ１からＦＢ６と取付けデバイスＥＦとを備えるアセンブリＡＳを運ぶことができる。
【００４４】
さらなるステップＭ２において、据付者は、同軸ケーブルＴＵＢとアンテナ・システムとの間の接続を取り外すことができる。取り外しは、例えば、同軸ケーブルＴＵＢを終端する同軸コネクタを取り除くことによって、または同軸コネクタの近くで同軸ケーブルＴＵＢを単に切断することによって行うことができる。
【００４５】
さらなるステップＭ３において、ケーブル・グランドの袋ナットＣＮを同軸ケーブルＴＵＢの末端部に差し込むことができる。
【００４６】
次のステップＭ４において、据付者は、取付けデバイスＥＦから突出する光ファイバＦＢ１からＦＢ６の末端部を同軸ケーブルＴＵＢの内側中空導体ＩＣに挿入する。代替では、挿入は、器具によって、同軸ケーブルＴＵＢの端面に応じて光ファイバＦＢ１からＦＢ６を中心に位置合わせすることにより、および光ファイバＦＢ１からＦＢ６を同軸ケーブルＴＵＢの端面の方に移動させることにより自動的に行うことができる。この自動的な位置合わせにより、光ファイバＦＢ１からＦＢ６へのいかなる損傷も防止することができる。
【００４７】
さらなる繰り返しのステップＭ５において、据付者は、取付けデバイスＥＦが同軸ケーブルＴＵＢの端面に近づくまで光ファイバＦＢ１からＦＢ６を同軸ケーブルＴＵＢの内側中空導体ＩＣに徐々に滑り込ませる。代替では、器具が光ファイバＦＢ１からＦＢ６を徐々に突き、光ファイバＦＢ１からＦＢ６を同軸ケーブルＴＵＢの端面の方に徐々に移動させる。
【００４８】
それによって、光ファイバＦＢ１からＦＢ６は同軸ケーブルＴＵＢを徐々に通過する。
【００４９】
次のステップＭ６において、据付者は、例えば、保持部ＲＥＴに袋ナットをねじ込むことによって取付けデバイスＥＦで同軸ケーブルＴＵＢの端面を終端する。それによって、同軸ケーブルＴＵＢの端面は第１の中空円筒の充填材料ＦＭに接触することができ、または充填材料ＦＭと同軸ケーブルＴＵＢの端面との間に光ファイバＦＢ１からＦＢ６の長手方向の中空空間が存在することができる。代替では、器具は、保持部ＲＥＴに対して袋ナットを既定のねじりモーメントで取り付けることによって終端を自動的に実行することができる。
【００５０】
図３は、本発明の適用による基地局ＢＳのブロック図を概略的に示す。図１の要素に対応する図３の要素は同じ参照番号で示されている。
【００５１】
基地局ＢＳは、基本的に、基地局ラックＢＳＲと、アンテナ・システムＡＮＴＳＹＳと、基地局ラックＢＳＲからアンテナ・システムＡＮＴＳＹＳに電力を供給するための給電ケーブルＦＣと、基地局ラックＢＳＲとアンテナ・システムＡＮＴＳＹＳとの間でユーザ・データと信号データとを伝送するための光ファイバ接続部ＯＦＣとを含む。
【００５２】
基地局ラックＢＳＲは、例えば、地上面に配置することができ、アンテナ・システムＡＮＴＳＹＳは、建物の屋根の上に、または自立型アンテナ支柱の上に配置することができる。
【００５３】
基地局ラックＢＳＲはベース・バンド・ユニットＢＢＵと電源ＰＳとを含む。ベース・バンド・ユニットＢＢＵは、好ましくは、伝送されるべきデジタル光信号データまたはユーザ・データを無線遠隔ヘッドＲＲＨ１、ＲＲＨ２、ＲＲＨ３に供給するように適合されている。無線遠隔ヘッドＲＲＨ１、ＲＲＨ２、ＲＲＨ３は、光ダウンリンク・データを無線周波数信号に変換し、無線周波数信号をアンテナ・システムＡＮＴＳＹＳに供給するように適合されている。アンテナ・システムＡＮＴＳＹＳは、無線リンクを介して基地局ＢＳに接続されている移動局に無線周波数信号を送信する。対応する処理が、アップリンク方向に移動局からアンテナ・システムＡＮＴＳＹＳおよび無線遠隔ヘッドＲＲＨ１、ＲＲＨ２、ＲＲＨ３を介してベース・バンド・ユニットＢＢＵに供給される。これは周知の事実であり、したがって、さらに詳細には説明しない。
【００５４】
好ましくは、基地局ＢＳは、給電ケーブルＦＣおよびジャンパ・ケーブルＪＣ１、ＪＣ２、ＪＣ３、ＪＣ４の導体に対する過電圧および雷保護目的のためのヒューズを有する、電源ＰＳの近くのヒューズ・ボックスＦＢをさらに含む。
【００５５】
電源ＰＳは、ヒューズ・ボックスＦＢに第１のジャンパ・ケーブルＪＣ１で接続することができる。給電ケーブルＦＣは、第１の末端部でヒューズ・ボックスＦＢに、および第２の末端部で配電ボックスＤＢに接続することができる。配電ボックスＤＢは、ジャンパ・ケーブルＪＣ２からＪＣ４を接続するための電気並列接続部を備える。第２のジャンパ・ケーブルＪＣ２は第１の無線遠隔ヘッドＲＲＨ１の電源ポートに接続される。第３のジャンパ・ケーブルＪＣ３は第２の無線遠隔ヘッドＲＲＨ２の電源ポートに接続される。第４のジャンパ・ケーブルＪＣ４は第３の無線遠隔ヘッドＲＲＨ３の電源ポートに接続される。
【００５６】
無線遠隔ヘッドＲＲＨ１、ＲＲＨ２、ＲＲＨ３は、無線遠隔ヘッドＲＲＨ１、ＲＲＨ２、ＲＲＨ３と、移動体、ノートブック、またはＰＤＡ（ＰＤＡ＝ｐｅｒｓｏｎａｌ  ｄｉｇｉｔａｌ  ａｓｓｉｓｔａｎｔ、携帯情報端末）などの１つまたはいくつかの移動局との間の無線リンクのために１つまたはいくつかのアンテナＡＮＴ１、ＡＮＴ２、ＡＮＴ３を含む。好ましくは、各無線遠隔ヘッドＲＲＨ１、ＲＲＨ２、ＲＨＨ３は、基地局ＢＳの無線セルの別個のセクタへの無線有効範囲を備える。
【００５７】
光ファイバ接続部ＯＦＣは、チューブＴＵＢ、取付けデバイスＥＦ、光ファイバＦＢ１からＦＢ６、および屋外ピグテイルＰＩＧＴ１からＰＩＧＴ３を含むことができる。
【００５８】
光ファイバＦＢ１、ＦＢ２および第１の屋外ピグテイルＰＩＧＴ１はベース・バンド・ユニットＢＢＵを第１の無線遠隔ヘッドＲＲＨ１に接続している。好ましくは、ファイバＦＢ１、ＦＢ２のうちの第１のものは、ベース・バンド・ユニットＢＢＵから第１の無線遠隔ヘッドＲＲＨ１へのダウンリンク接続に使用され、ファイバＦＢ１、ＦＢ２のうちの第２のものは、第１の無線遠隔ヘッドＲＲＨ１からベース・バンド・ユニットＢＢＵへのアップリンク接続に使用される。同様に、光ファイバＦＢ３、ＦＢ４および第２の屋外ピグテイルＰＩＧＴ２はベース・バンド・ユニットＢＢＵを第２の無線遠隔ヘッドＲＲＨ２に接続していてもよく、光ファイバＦＢ５、ＦＢ６および第３の屋外ピグテイルＰＩＧＴ３はベース・バンド・ユニットＢＢＵを第３の無線遠隔ヘッドＲＲＨ３に接続していてもよい。
【００５９】
代替として、光ファイバ接続部ＯＦＣは、無線遠隔ヘッドＲＲＨ１からＲＲＨ３の各々に対して、無線遠隔ヘッドＲＲＨ１からＲＲＨ３のうちの１つにベース・バンド・ユニットＢＢＵを接続するための単一の光ファイバを含むことができる。そのような場合、ダウンリンク信号およびアップリンク信号は異なる光波長を使用することができ、光ＡＤＭ（分合波マルチプレクサ）が、光波長の分波／合波を行うためにベース・バンド・ユニットＢＢＵと無線遠隔ヘッドＲＲＨ１からＲＲＨ３とで使用され得る。
【００６０】
さらなる代替では、基地局ＢＳは３つ未満または３つを超える無線遠隔ヘッドを含むことができ、アセンブリＡＳは６つ未満または６つを超える光ファイバを含む。
【図１】
0005629385.tif 000002
【図２】
0005629385.tif 000003
【図３】
0005629385.tif 000004